(57)【特許請求の範囲】
【請求項１】
発光モジュールを取り付ける取付正面部と、前記取付正面部から照射側に突き出す側壁部とを有する器具本体部と、
前記器具本体部に取り付けられ、前記発光モジュールから発せられる光を配光するレンズユニットと
を備え、
前記レンズユニットは、
前記発光モジュールから発せられる光を入射する入射部と、前記入射部から入射された光を出射する出射部とを有するレンズ部と、
前記出射部を内部に収納する第一のホルダー部であって、前記出射部の周縁部を支持するレンズ受部を有する第一のホルダー部と、
前記取付正面部に固定された環状の第二のホルダー部であって、前記入射部を内部に収納すると共に、照射側の第一の開口部が前記出射部の前記周縁部と対向する第二のホルダー部と、
前記第一の開口部と前記レンズ受部との間に生じる隙間の幅を変動自在に前記第一のホルダー部と前記第二のホルダー部とを連結する連結部と
を備え、
前記連結部は、
前記第二のホルダー部の側部に形成された嵌入孔と、
前記第一のホルダー部の側部に形成された係合開口部と、
前記係合開口部を介して前記嵌入孔に嵌め込まれた係止部であって、前記係合開口部の内部で移動可能な係止部と
を備えた照明器具。
【請求項２】
前記第二のホルダー部は、
前記取付正面部に引っ張られて固定され、
前記係止部は、
前記嵌入孔に嵌め込まれた状態で、前記第二のホルダー部から前記第一のホルダー部に向かって突出する係合部を有し、
前記係合開口部は、
前記係合部と係合すると共に前記第二のホルダー部が前記取付正面部に引っ張られる方向において、前記係合部より大きく形成された請求項１に記載の照明器具。
【請求項３】
前記第一のホルダー部の側部は、
前記側壁部の内側に挿入される筒部と、前記側壁部の側壁部開口縁に当たる引掛部とを有し、
前記係合開口部は、前記筒部に形成された請求項２に記載の照明器具。
【請求項４】
前記取付正面部は、
前記第二のホルダー部を前記器具本体部に固定する本体固定材を保持する固定孔が形成され、
前記第二のホルダー部は、
前記本体固定材と嵌め合う本体連結部が形成され、
前記本体固定材は、
前記第二のホルダー部を前記取付正面部に引っ張りながら前記本体連結部に嵌入される請求項１から請求項３のいずれか１項に記載の照明器具。
【発明の詳細な説明】
【技術分野】
【０００１】
本発明は、発光素子を備える発光モジュールと、発光モジュールから発せられる光を配光するレンズユニットとを備える照明器具に関する。
【背景技術】
【０００２】
近年、天井など被取付部に形成された取付孔に埋め込まれるダウンライト型の照明器具や、任意の方向へ可動し照射するスポットライト型の照明器具において、光源にＬＥＤなどの発光素子を用いたものが多くみられる。
ＬＥＤを搭載したこれらの照明器具は、ＬＥＤから発する光を所定の方向へ照射する為に、ＬＥＤの前面にレンズなどの配光制御部材を設けている。
【０００３】
例えば、特許文献１に記載の照明器具には、略筒形状をしたホルダーにレンズが保持されている。このホルダーは、内側に形成されレンズが嵌め込まれる嵌入孔と、レンズ前面を嵌入孔に押圧し固定する固定爪とが対に形成されている。
【０００４】
また、特許文献２に記載の照明装置には、ＬＥＤの前面に板状のホルダーに固定されたレンズが配設されている。
このレンズとホルダーにはそれぞれに嵌め合いする為の溝が形成されており、レンズはホルダーに嵌め込まれ固定されている。
【０００５】
また、特許文献３に記載の照明装置には、器具本体に取り付けられる化粧枠がレンズを器具本体側に押し付け、レンズは器具本体と化粧枠とにより挟持されている。
【先行技術文献】
【特許文献】
【０００６】
【特許文献１】特開２０１２−０９９２５６号公報
【特許文献２】特開２０１１−１２４０３４号公報
【特許文献３】特開２０１０−２８７４０１号公報
【発明の概要】
【発明が解決しようとする課題】
【０００７】
しかしながら、特許文献１に記載の照明器具のホルダーは、対になる固定爪のみでレンズを保持しており、どちらか一方の固定爪が振動などで破損した際にはレンズが所定の位置より移動してしまい任意の配光特性を得ることができない。
【０００８】
また、特許文献２に記載の照明器具は、ホルダーは板状の金属材料で形成され、レンズは樹脂材料で形成されている為、レンズはホルダーより熱収縮率が大きい。よって、レンズが収縮してしまったときは、嵌合が緩みホルダーよりはずれることが考えられる。また、レンズが膨張したときには、ホルダーとの嵌合溝よりも大きくなりレンズがホルダーの嵌合溝に押圧され、負荷をかけられた状態になる。
【０００９】
また、特許文献３に記載の照明器具は、レンズが化粧枠に押し込まれ挟持されており、レンズに常に負荷がかかっており、ヒビや破損が発生する虞がある。
【００１０】
本発明は、レンズへの負荷を抑制し、レンズを安定して保持する照明器具を提供することを目的とする。
【課題を解決するための手段】
【００１１】
本発明に係る照明器具は、発光モジュールを取り付ける取付正面部と、前記取付正面部から照射側に突き出す側壁部とを有する器具本体部と、前記器具本体部に取り付けられ、前記発光モジュールから発せられる光を配光するレンズユニットとを備え、前記レンズユニットは、前記発光モジュールに向かって突き出し、前記発光モジュールから発せられる光を入射する入射部と、前記入射部から入射された光を出射する出射部とを有するレンズ部と、前記出射部を内部に収納する第一のホルダー部であって、内側面から突出し、前記出射部の周縁部の照射側の面を支持するレンズ受部を有する第一のホルダー部と、前記取付正面部に固定される環状の第二のホルダー部であって、前記レンズ部の前記入射部を内部に収納すると共に、照射側の第一の開口部が前記出射部の前記周縁部と対向する第二のホルダー部と、前記第一の開口部と前記レンズ受部との間に生じる隙間の幅を変動自在に前記第一のホルダー部と前記第二のホルダー部とを連結する連結部とを備える。
【発明の効果】
【００１２】
本発明に係る照明器具によれば、第二のホルダー部の第一の開口部と第一のホルダー部のレンズ受部との間に生じる隙間の幅が変動するように、第一のホルダー部と第二のホルダー部とを連結する連結部を備えるので、レンズ部への負荷を抑制し、レンズ部を安定して保持することができるという効果を奏する。
【図面の簡単な説明】
【００１３】
【図１】実施の形態１に係る照明装置１０００の下方から見た斜視図。
【図２】実施の形態１に係る照明装置１０００の上方から見た斜視図。
【図３】図１に示す照明装置１０００の分解斜視図。
【図４】図２に示す照明装置１０００の分解斜視図。
【図５】実施の形態１に係る照明器具１１００の断面図。
【図６】実施の形態１に係る照明器具１１００の分解断面図。
【図７】図５に示すレンズユニット３００の組立工程（ａ）から（ｃ）を示す図。
【図８】図７の（ｃ）に示すＡ部詳細図。
【図９】レンズユニット３００の器具本体部２００への取付工程（ａ）から（ｃ）を示す図。
【図１０】実施の形態１における係止部３４０の変形例。
【図１１】実施の形態１における照明器具１１００の変形例である照明器具１１００ａを示す図。
【発明を実施するための形態】
【００１４】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１５】
実施の形態１．
＊＊＊構成の説明＊＊＊
図１は、本実施の形態に係る照明装置１０００を下方から見た斜視図である。図２は、本実施の形態に係る照明装置１０００を上方から見た斜視図である。図３は、図１に示す照明装置１０００の分解斜視図である。図４は、図２に示す照明装置１０００の分解斜視図である。図５は、本実施の形態に係る照明器具１１００の断面図である。図６は、本実施の形態に係る照明器具１１００の分解断面図である。
図１及び図６を用いて、本実施の形態に係る照明装置１０００の全体構成について説明する。
【００１６】
本実施の形態では、照明装置１０００として、天井などの被取付部に形成された取付孔に埋め込まれ設置されるダウンライト型照明装置を一例に説明を行う。
本実施の形態では、説明の便宜上、天井側を上方とし、照射側を下方として説明する。
【００１７】
照明装置１０００は、枠体１０と、枠体１０の内側に首振り可能に設けられた照明器具１１００とを備えている。
枠体１０は、略環状に形成された環状部１１と、環状部１１に設けられた複数の取付ばね２０とを備えている。
環状部１１のフランジ１２は、環状部１１が取付孔内に挿入された状態で被取付部の下面に当接することにより枠体１０、すなわち照明装置１０００を被取付部に位置決めする部位である。
【００１８】
取付ばね２０は、環状部１１に沿うように弾性変形された状態で、環状部１１が被取付部の取付孔に挿入される。そして、環状部１１が取付孔に挿入されてフランジ１２が被取付面の下面に当接した後に、それぞれの取付ばね２０の外径を大きくするように弾性復元されて環状部１１を取付孔に保持する。なお、照明器具１１００は、枠体１０の環状部１１内側に首振り可能に支持されている。
【００１９】
照明器具１１００は、発光モジュール１００と、器具本体部２００と、レンズユニット３００とを備える。
器具本体部２００は、発光モジュール１００を取り付ける取付正面部２１０と、取付正面部２１０から照射側に突き出す側壁部２２０とを有する。器具本体部２００は、この発光モジュール１００が取り付けられるとともに発光モジュール１００から発生する熱を放熱する。
レンズユニット３００は、器具本体部２００に取り付けられ、発光モジュール１００から発せられる光を配光する。レンズユニット３００は、発光モジュール１００の前面に配設される。
発光モジュール１００は、ＬＥＤなどの発光素子１０１ａが基板１０２に実装されている。
【００２０】
発光モジュール１００は、基板１０２と、基板１０２の一方の表面に形成された発光部１０１とを有する。発光部１０１は、複数の発光素子１０１ａと、発光素子１０１ａを封止する透光性の波長変換部材とを有する。ここで、発光素子１０１ａ及び波長変換部材の図示は省略する。
【００２１】
発光素子１０１ａは、一例として青色発光するＬＥＤ素子である。発光素子１０１ａは、ＣＯＢ（Ｃｈｉｐ  Ｏｎ  Ｂｏａｒｄ）技術により基板１０２の配線パターンに実装されている。
また、発光モジュール１００は、基板１０２の配線パターンと電気接続する配線をさらに有する。駆動時には、この配線を通じて点灯装置より直流電力が各発光素子１０１ａに供給される。
また、発光モジュール１００は、発光部１０１の前面が開口したドーナツ形状をした専用のソケット１１０により器具本体部２００に固定されている。配線、点灯装置の図示は省略する。図３に示すように、発光モジュール１００は、基板１０２から突出し、ネジなどの固定部材を挿入させるねじ孔を有する本体取付部を有していてもよい。あるいは、図４に示す発光モジュール１００のように、基板から突出する本体取付部を有さず、例えば接着剤により器具本体部２００に固定されるものでもよい。
【００２２】
器具本体部２００は、アルミニウムなど放熱性能を有した材料を成形したものであり、取付正面部２１０と、側壁部２２０と、放熱フィン部２３０とを備える。
取付正面部２１０は、発光モジュール１００が取り付けられる取付部である。
側壁部２２０は、取付正面部２１０の周部より発光モジュール１００の照射方向へ立設する。
放熱フィン部２３０は、取付正面部２１０の発光モジュール１００が取り付けられた面の反対の面より上方に突設される。
【００２３】
取付正面部２１０は、略円形状をしており中央に発光モジュール１００が取り付けられる。取付正面部２１０は、発光モジュール１００の照射方向の前面にレンズユニット３００が配設される。
また、取付正面部２１０には、発光モジュール１００に点灯装置から電力供給を受ける為に電源線をとおす為の電源孔２２２が形成される。また、取付正面部２１０には、レンズユニットを本体固定材２４０により固定させる為の固定孔２１１が形成される。固定孔２１１は、レンズユニット固定孔ともいう。固定孔２１１は、レンズユニット３００の第二のホルダー部３３０を器具本体部２００に固定する本体固定材２４０を保持する。
【００２４】
側壁部２２０は、取付正面部２１０の外周に設けられており、発光モジュール１００の周囲を囲むように、発光モジュール１００の照射方向が開口した略円筒形状をしている。
【００２５】
放熱フィン部２３０は、取付正面部２１０の発光モジュール１００が取り付けられた面の反対の面より複数の放熱フィン２３１が突設しており、放熱フィン２３１同士は略均等間隔になるように配設されている。
【００２６】
レンズユニット３００は、レンズ部３１０と、第一のホルダー部３２０と、第二のホルダー部３３０と、連結部３４００とを備えている。
レンズ部３１０は、発光モジュール１００に向かって突き出し、発光モジュール１００から発せられる光を入射する入射部３１１と、入射部３１１から入射された光を出射する出射部３１３とを有する。
第二のホルダー部３３０は、取付正面部２１０に固定される環状である。第二のホルダー部３３０は、レンズ部３１０の入射部３１１を内部に収納すると共に、照射側の第一の開口部３３１ａの外径が出射部３１３の外径よりも小さく、第一の開口部３３１ａが出射部３１３の周縁部３１３ａと対向する。
第一のホルダー部３２０は、出射部３１３を内部に収納する。第一のホルダー部３２０は、内側面から突出し、出射部３１３の周縁部３１３ａの照射側の面を支持するレンズ受部３２３を有する。
【００２７】
連結部３４００は、第二のホルダー部３３０の第一の開口部３３１ａと、第一のホルダー部３２０のレンズ受部３２３との間に生じる隙間Ｃの幅を変動自在に第一のホルダー部３２０と第二のホルダー部３３０とを連結する。すなわち、連結部３４００は、第一の開口部３３１ａと周縁部３１３ａとの間に生じる隙間Ｃの幅を変動自在に第一のホルダー部３２０と第二のホルダー部３３０とを連結する。あるいは、連結部３４００は、周縁部３１３ａとレンズ受部３２３との間に生じる隙間Ｃの幅を変動自在に第一のホルダー部３２０と第二のホルダー部３３０とを連結する。
連結部３４００の詳細構成については後述する。
【００２８】
レンズ部３１０は、発光モジュール１００からの光を所望の光学特性に制御し照射する。
第一のホルダー部３２０は、レンズ部３１０の照射側（フランジ１２側）に配設される。
第二のホルダー部３３０は、レンズ部３１０の入射側（発光モジュール１００側）に配設される。
係止部３４０は、第一のホルダー部３２０と第二のホルダー部３３０とを連結させる部材である。
なお、レンズ部３１０は連結された第一のホルダー部３２０と第二のホルダー部３３０に挟持され保持されている。
【００２９】
レンズ部３１０は、略すり鉢形状であり、例えばアクリルやポリカーボネートなどの透明な材料で形成され、発光モジュール１００から放射される光を所定の配光特性で出射する。
また、レンズ部３１０は、入射部３１１、反射部３１２、出射部３１３、レンズ鍔部３１４を有している。
【００３０】
入射部３１１は、頂点側に略凹形状に形成され、発光モジュール１００から放射された光を入射する。
反射部３１２は、すり鉢形状の外郭部であり、入射部３１１から入射した光の一部を反射するものである。
出射部３１３は、すり鉢状の平面側に形成され、入射部３１１に入射した光を外部に出射する。
レンズ鍔部３１４は、出射部３１３の出射面の外周に板状に突設したつば状の部分である。
【００３１】
なお、入射部３１１、反射部３１２、出射部３１３は、レンズ部３１０の配光特性により形状、表面加工などを変更してもよい。例えば、出射部３１３に対する反射部３１２の角度を浅くしても良い。
また、反射部３１２は、金属皮膜などにより光を反射するよう加工したものであってもよいし、レンズ部３１０外部との屈折率の差により、入射角の大きい光を全反射する構成であってもよい。また、出射部３１３の表面に凹凸を形成しても良い。
【００３２】
第一のホルダー部３２０の側部３２１１は、側壁部２２０の内側に挿入される筒部３２１と、側壁部２２０の側壁部開口縁２２１に当たる引掛部３２２とを有する。係合開口部３２４は、筒部３２１に形成される。
第一のホルダー部３２０は、アルミニウムなどの金属部材により成形される。図３及び図４に示すように、第一のホルダー部３２０は、略円筒形状をした筒部３２１と、筒部３２１外側面の周方向に突設した引掛部３２２と、内側面の周方向に突設し形成されたレンズ受部３２３とを備えている。引掛部３２２は、筒部３２１の照射側に筒部３２１から連続して筒状に形成される。引掛部３２２は、本体引掛け部とも称する。
また、筒部３２１の側面には略矩形状をした貫通孔である係合開口部３２４が形成されている。係合開口部３２４は、ホルダー引掛け部とも称する。係合開口部３２４は、係止部３４０により第二のホルダー部３３０と連結する為の構成であり、筒部３２１の周方向に複数形成されている。
また、筒部３２１の内側の寸法はレンズ部３１０のレンズ鍔部３１４の外径よりも大きく、筒部３２１の外側の寸法は器具本体部２００の側壁部２２０の内径よりも小さく形成されている。
また、引掛部３２２の外径は器具本体部２００の側壁部２２０の内径よりも大きく形成されている。
【００３３】
第二のホルダー部３３０は、アルミニウムなどの金属部材により成形されている。図３及び図４に示すように、円錐筒形状をした円錐筒部３３１と、円錐筒部３３１の傾斜した外側面に立設した固定部３３２とを備えている。円錐筒部３３１の両端開口は、第一のホルダー部３２０に嵌め込まれる第一の開口部３３１ａに対して、他方側の開口である第二の開口部３３１ｂが小さく形成されている。
【００３４】
また、固定部３３２は第一の開口部３３１ａに対して略垂直になる垂直面部３３３と、第二の開口部３３１ｂと略平行になる水平面部３３４とを有する。垂直面部３３３には係止部３４０が嵌め込まれる嵌入孔３３３ａが形成される。水平面部３３４にはネジなどの本体固定材２４０と螺合してレンズユニット３００を器具本体部２００に固定する本体連結部３３４ａが形成されている。本体固定材２４０は本体固定部とも称される。本体固定材２４０はネジでなくてもよく、本体連結部３３４ａに嵌入されレンズユニット３００を器具本体部２００に固定する部材であればよい。
このように、第二のホルダー部３３０には本体固定材２４０と嵌め合う本体連結部３３４ａが形成され、本体固定材２４０は第二のホルダー部３３０を取付正面部２１０に引っ張りながら本体連結部３３４ａに嵌入される。
なお、図３の固定部３３２と図４の固定部３３２とは形状の異なる固定部となっているが、垂直面部３３３、水平面部３３４、嵌入孔３３３ａ、本体連結部３３４ａを有していればよく、図３の固定部３３２、図４の固定部３３２以外の形状でも構わない。
【００３５】
また、第一の開口部３３１ａの外径は第一ホルダー部の筒部３２１の内径より小さく形成されている。固定部３３２は円錐筒部３３１の周方向に複数配設されている。固定部３３２は、例えば、円錐筒部３３１の周方向に均等間隔で３つ配設されている。
なお、本体固定材２４０に関しては、レンズユニット３００の器具本体部２００への取り付け方法に関して詳細説明をする。
【００３６】
連結部３４００は、係止部３４０と、係止部３４０と係合する係合開口部３２４を備える。
係止部３４０は、第二のホルダー部３３０の側部に配設され、第二のホルダー部３３０から第一のホルダー部３２０に向かって突出する係合部３４２を有する。
係合開口部３２４は、第一のホルダー部３２０に形成され、係合部３４２と係合すると共に第二のホルダー部３３０が取付正面部２１０に引っ張られる方向において、係合部３４２より大きく形成される。すなわち、係合開口部３２４は、係合部３４２が内部で上下方向に移動することができるように、係合部３４２より大きく形成される。
【００３７】
係止部３４０は、棒状に形成されており第一のホルダー部３２０の係合開口部３２４に挿し込まれる係合部３４２と、第二のホルダー部３３０の嵌入孔３３３ａに嵌め込まれる嵌入部３４１とを備えている。
なお、嵌入孔３３３ａと嵌入部３４１は互いにネジ加工がされており、螺合するようなものでも良い。図１０は、係止部３４０の一例を示す図である。係止部３４０は、図１０に示すように、ネジ加工がされた嵌入部３４１と、ネジ頭３４２２を有する係合部３４２とからなるネジでもよい。
【００３８】
＊＊＊機能の説明＊＊＊
次に、図７、図８を用いてレンズユニット３００の組立方法に関して説明する。
図７は図５に示すレンズユニット３００の組立固定図であり、図８は図７の（ｃ）に示すＡ部詳細図である。
（１）はじめに、図７の（ａ）（ｂ）に示すように、レンズ部３１０を第一のホルダー部３２０の内側へ筒部３２１側の開口より挿入する。
このとき、レンズ部３１０は出射部３１３側より挿入し、レンズ鍔部３１４がレンズ受部３２３に当接するまで挿入する。
（２）次に、図７の（ｂ）（ｃ）に示すように、レンズ部３１０を覆うように、第二のホルダー部３３０を第一のホルダー部３２０に挿入する。
このとき、第二のホルダー部３３０の第一の開口部３３１ａがレンズ鍔部３１４に当接するまで挿入する。
（３）次に、図７の（ｃ）、図８の（ａ）（ｂ）に示すように、係止部３４０の嵌入部３４１を第一のホルダー部３２０の係合開口部３２４を介して、第二のホルダー部３３０の嵌入孔３３３ａに嵌入させる。
このとき、係止部３４０の係合部３４２と係合開口部３２４とが係り合い、第一のホルダー部３２０と第二のホルダー部３３０は連結される。
また、図８の（ａ）に示すように、レンズ部３１０は、レンズ鍔部３１４がレンズ受部３２３と第一の開口部３３１ａとに挟持される。
【００３９】
なお、図８の（ｂ）に示すように、係止部３４０と係合開口部３２４との大きさの関係は係合開口部３２４のＡ寸法が係止部３４０のＢ寸法より大きい。また、図８の（ｂ）に示す状態は、第二のホルダー部３３０の第一の開口部３３１ａがレンズ鍔部３１４に当接している状態である。
【００４０】
次に、図９を用いて、レンズユニット３００の器具本体部２００への取付方法に関して説明を行う。
図９は、図５に示すレンズユニット３００の器具本体部２００への取付工程図である。
（１）はじめに、図９の（ａ）（ｂ）に示すように、レンズユニット３００を第二の開口部３３１ｂが発光モジュール１００の前面に対向して当面するように、器具本体部２００の側壁部２２０の内側に挿入する。
このとき、筒部３２１が側壁部２２０内側に挿し込まれるとともに、引掛部３２２が側壁部２２０の開口縁となる側壁部開口縁２２１に当接する。
（２）次に、図９の（ｂ）（ｃ）に示すように、引掛部３２２が側壁部２２０の側壁部開口縁２２１に当接した状態で、本体固定材２４０を器具本体部２００の固定孔２１１を介して本体連結部３３４ａに螺合させる。
第二のホルダー部は、取付正面部２１０に引っ張られて固定される。レンズユニット３００は、第二のホルダー部３３０が本体固定材２４０により取付正面部２１０に引っ張られた状態で、器具本体部２００に固定される。
本体固定材２４０は図９の（ｂ）（ｃ）に示すようなネジ形状であるが、第二のホルダー部３３０を取付正面部２１０に引っ張りながら固定するものであればその他の形状でも構わない。
【００４１】
レンズユニット３００は、第一のホルダー部３２０は引掛部３２２が側壁部開口縁２２１に当接し、第二のホルダー部３３０が取付正面部２１０に引っ張られる。したがって、図９の（ｃ）に示すように、第一のホルダー部３２０と第二のホルダー部３３０とを連結する係止部３４０が係合開口部３２４の取付正面部２１０側に配置され、レンズ鍔部３１４と第一の開口部３３１ａとの間に隙間Ｃが形成される。あるいは、第一のホルダー部３２０と第二のホルダー部３３０とを連結する係止部３４０が係合開口部３２４の取付正面部２１０側に配置され、レンズ鍔部３１４とレンズ受部３２３との間に隙間Ｃが形成される。このとき、係止部３４０は、図８の（ｂ）の点線の係止部３４０のように、係合開口部３２４の取付正面部２１０側に移動する。
【００４２】
＊＊＊効果の説明＊＊＊
本実施の形態に係る照明器具１１００によれば、図９の（ｃ）で説明した隙間Ｃによって、レンズ部３１０に対する負荷を抑制しつつレンズ部３１０を保持することができる。また、レンズ部３１０のヒビ割れを防止するとともに、熱膨張による変形を許容することができる。
また、熱膨張による変形も許容することで、熱膨張によりレンズ部３１０と第一のホルダー部３２０、もしくはレンズ部３１０と第二のホルダー部３３０が接触して発生する擦れ音などを抑制することができる。
【００４３】
また、レンズ部３１０はレンズ鍔部３１４が、レンズ受部３２３と第一の開口部３３１ａとの間で保持されることにより、全周で保持されており、熱収縮による外れを防いでいる。
また、隙間Ｃの寸法は、本体固定材２４０が本体連結部３３４ａに螺合し引き込む長さを調整することで任意の寸法に変更することができるので、レンズ鍔部３１４の厚さが異なるレンズ部３１０でも装着することができる。
また、係止部３４０および、係合開口部３２４は側壁部２２０の内側に配置されるので、意匠面に機構形状があらわれずに意匠性にすぐれている。
【００４４】
なお、本実施の形態では、第一のホルダー部３２０が係合開口部３２４を有し、第二のホルダー部３３０が係止部３４０を保持する固定部３３２を有している形状について説明した。しかし、第一のホルダー部が固定部を有し、第二のホルダー部が係合開口部を有する形状でも良い。
すなわち、連結部は、第一のホルダー部の側部に配設され、第一のホルダー部から前記第二のホルダー部に向かって突出する係合部を有する係止部を備える。また、連結部は、第二のホルダー部に形成され、係合部と係合すると共に第二のホルダー部が取付正面部に引っ張られる方向において、係合部より大きく形成される係合開口部を備える構成でもよい。このとき、係止部は筒部に形成される。
【００４５】
なお、本実施の形態では、係止部３４０は一つの部材として説明したが、第二のホルダー部３３０あるいは第一のホルダー部３２０一体に成形されているようなものでも良い。
【００４６】
また、係合開口部３２４は略矩形状であるものとして説明したが、長孔形状でも良く、レンズユニット３００の器具本体部２００への取り付けに伴い係止部３４０が可動できる形状であれば良い。
【００４７】
なお、本実施の形態では、固定部３３２が嵌入孔３３３ａと本体連結部３３４ａとを備えた形状について説明したが、嵌入孔と本体連結部がそれぞれ別の固定部に形成された構成でも良い。
【００４８】
図１１は、本実施の形態に係る照明器具１１００の変形例である照明器具１１００ａを示す図である。本実施の形態に係る照明装置１０００では、被取付部の取付孔に埋設されるダウンライト型照明器具に関して説明をおこなったが、図１１の（ａ）（ｂ）に示す照明器具１１００ａのようなスポットライト型照明器具であっても本実施の形態を適用することができる。図１１の照明器具１１００ａは、ダクトレールに取り付けて使用される。なお、本実施の形態で説明したレンズユニット３００、器具本体部２００を有する照明器具であれば、どのような形態の照明器具であっても本実施の形態を適用することができる。
【００４９】
第一のホルダー部３２０と第二のホルダー部３３０とは、アルミニウムなどの金属材料により成形されている説明をおこなったが、取付強度・保持荷重などを踏まえポリカーボネートなど樹脂材料で成形したものでもよい。
【００５０】
以上、実施の形態１について説明したが、この実施の形態のうち、１つを部分的に実施しても構わない。あるいは、この実施の形態のうち、複数を部分的に組み合わせて実施しても構わない。この実施の形態を、全体としてあるいは部分的に、どのように組み合わせて実施しても構わない。
なお、上記の実施の形態は、本質的に好ましい例示であって、本発明、その適用物や用途の範囲を制限することを意図するものではなく、必要に応じて種々の変更が可能である。
【符号の説明】
【００５１】
１０  枠体、１１  環状部、１２  フランジ、２０  取付ばね、１００  発光モジュール、１０１  発光部、１０１ａ  発光素子、１０２  基板、１１０  ソケット、２００  器具本体部、２１０  取付正面部、２１１  固定孔、２２０  側壁部、２２１  側壁部開口縁、２２２  電源孔、２３０  放熱フィン部、２３１  放熱フィン、２４０  本体固定材、３００  レンズユニット、３１０  レンズ部、３１１  入射部、３１２  反射部、３１３  出射部、３１３ａ  周縁部、３１４  レンズ鍔部、３２０  第一のホルダー部、３２１  筒部、３２２  引掛部、３２３  レンズ受部、３２４  係合開口部、３３０  第二のホルダー部、３３１  円錐筒部、３３１ａ  第一の開口部、３３１ｂ  第二の開口部、３３２  固定部、３３３  垂直面部、３３３ａ  嵌入孔、３３４  水平面部、３３４ａ  本体連結部、３４０  係止部、３４１  嵌入部、３４２  係合部、１０００  照明装置、１１００，１１００ａ  照明器具、３２１１  側部、３４００  連結部、３４２２  ネジ頭、Ｃ  隙間。
【図１】
0006460805.tif 000002
【図２】
0006460805.tif 000003
【図３】
0006460805.tif 000004
【図４】
0006460805.tif 000005
【図５】
0006460805.tif 000006
【図６】
0006460805.tif 000007
【図７】
0006460805.tif 000008
【図８】
0006460805.tif 000009
【図９】
0006460805.tif 000010
【図１０】
0006460805.tif 000011
【図１１】
0006460805.tif 000012